(57)【要約】    【課題】  係合突起の大きさの自由度を向上し、缶に確実に取り付けることができ、且つ缶への着脱も容易にすることのできる容器を提供する。    【解決手段】  缶に取付ける台座部と、台座部に取付ける蓋部とを有し、前記台座部と前記蓋部との間に物を収容する容器であって、前記台座部は、それぞれ薄肉のヒンジを介して繋がる一体成型された複数の揺動部を備えている。そして、前記各揺動部が前記缶側に傾いた状態で前記蓋部が前記缶の反対側から前記台座部に嵌まって前記ヒンジを収容するようになっている。更に、前記缶側に傾いた前記各揺動部の内側には、前記缶に係合する係合部が形成されている。【選択図】  図５
2007076695.tif 000002
【特許請求の範囲】
【請求項１】
缶に取付ける台座部と、台座部に取付ける蓋部とを有し、前記台座部と前記蓋部との間に物を収容する容器であって、
前記台座部は、それぞれ薄肉のヒンジを介して繋がる一体成型された複数の揺動部を備え、
前記各揺動部が前記缶側に傾いた状態で前記蓋部が前記缶の反対側から前記台座部に嵌まって前記ヒンジを収容するようになっており、
前記缶側に傾いた前記各揺動部の内側には、前記缶に係合する係合部が形成されている、容器。
【請求項２】
請求項１において、
前記缶側に傾いた前記各揺動部の外側には、前記蓋部と係合する係合部が形成されている、容器。
【発明の詳細な説明】
【技術分野】
【０００１】
本発明は飲料などの缶に取付ける容器であって、飲料の販促品乃至景品を収容する容器に関する。
【背景技術】
【０００２】
飲料などの缶に販促品乃至景品を取付けて販売することは既に知られている。例えば特開２００３−２６７３８４号公報は、缶飲料の自動販売機で景品つきの飲料を販売できるように、飲料缶本体と同径のケース体を着脱自在に取付けた状態で、缶飲料用自動販売機で販売可能な大きさと形状にすることを開示している。このケース体は、飲料缶に係止する台座に嵌合するようになっている。
【特許文献１】特開２００３−２６７３８４号公報
【発明の開示】
【発明が解決しようとする課題】
【０００３】
上記特開２００３−２６７３８４号公報に開示された容器において、缶に対する台座の係止、および台座に対するケース体の嵌合のためには、係止するための突起を設ける必要がある。特に缶に対する台座の係止のためには、缶が弾性変形しにくいことから、充分な大きさの係止突起を台座に設ける必要がある。
【０００４】
しかしながら、あまりに係止突起が大きすぎる場合には、台座の成型に用いる金型を、台座成型後に台座から外すことが困難となる。従って、充分な大きさの係止突起を形成することが困難であった。
【０００５】
また、十分な大きさの係止突起を形成できたとしても、嵌合がきつ過ぎると、缶への着脱が困難となってしまうという問題があった。
【０００６】
本発明は、係合突起の大きさの自由度を向上し、缶に確実に取り付けることができ、且つ缶への着脱も容易にすることのできる容器を提供することを目的とする。
【課題を解決するための手段】
【０００７】
上記目的を達成するため、本発明の容器は、缶に取付ける台座部と、台座部に取付ける蓋部とを有し、前記台座部と前記蓋部との間に物を収容する容器であって、前記台座部は、それぞれ薄肉のヒンジを介して繋がる一体成型された複数の揺動部を備えている。そして、前記各揺動部が前記缶側に傾いた状態で前記蓋部が前記缶の反対側から前記台座部に嵌まって前記ヒンジを収容するようになっている。更に、前記缶側に傾いた前記各揺動部の内側には、前記缶に係合する係合部が形成されている。
【０００８】
缶に係合する係合部は、台座部にそれぞれ薄肉のヒンジを介して繋がる一体成型された複数の揺動部にそれぞれ形成されるので、揺動部を台座部と平行な形状に成型すれば、十分な大きさの係合部を容易に成型することができる。そして、揺動部を缶側に傾ければ容易に缶に係合させることができる。更に、揺動部が缶側に傾いた状態で蓋部が缶の反対側から台座部に嵌まってヒンジを収容する構成になっているので、蓋部によって揺動部を外側から規制し、容易且つ確実に台座部を缶に取付けることができる。
【０００９】
上記容器において、前記缶側に傾いた前記各揺動部の外側には、前記蓋部と係合する係合部が形成されていることが望ましい。これにより、蓋部と係合する係合部も十分な大きさにすることができる。
【発明を実施するための最良の形態】
【００１０】
＜１．容器の構成＞
図１乃至図５は、本発明の実施形態に係る容器の各部の構成を示すものである。図１は台座部５の揺動部１０を開いた状態の平面図（Ａ）、右側面図（Ｂ）、正面図（Ｃ）、Ｉ−Ｉ線断面図（Ｄ）、底面図（Ｅ）である。図２は同じ台座部５の揺動部１０を飲料缶９０側に傾けた状態の平面図（Ａ）、右側面図（Ｂ）、正面図（Ｃ）、II−II線断面図（Ｄ）、底面図（Ｅ）である。図３は蓋部６の平面図（Ａ）、右側面図（Ｂ）、正面図（Ｃ）、III−III線断面図（Ｄ）、底面図（Ｅ）である。図４は台座部５と蓋部６の組合せ状態を示す斜視図（Ａ）及び断面図（Ｂ）である。図５は飲料缶９０への取付け状態を説明する図である。この容器は、缶に係合する台座部５と、台座部に係合する蓋部６とを有し、台座部５と蓋部６との間が収納空間になっている。
【００１１】
＜１−１．台座部５＞
台座部５は、平板部５４と、この平板部５４の両端から垂直に立ち上がる一対の第１側壁部５１と、一対の第２側壁部５２と、各第１側壁部５１からヒンジ１５を介して繋がる揺動部１０と、を備えている。これら平板部５４、第１側壁部５１、第２側壁部５２及び揺動部１０を備えた台座部５は、一体成型されている。特に第１側壁部５１と揺動部１０とをつなげているヒンジ１５は、折り曲げ自在な薄肉部として形成されている。このような薄肉部によりヒンジを形成するには、台座部５の材質を例えばポリプロピレンとし、薄肉部の厚さを約０．３ｍｍとするのが好ましい。薄肉部の厚さはこれに限らず、薄肉部に所望のばね性ないし変形し易さを与えるよう適宜設定することができる。
【００１２】
揺動部１０には、飲料缶の口金に係合する第１係合突起１１が形成されている。第１係合突起１１は、揺動部１０の自由端側に形成されており、飲料缶の口金の外周に合わせて円弧状をなしている。また揺動部１０には、第１係合突起１１と反対側の面に、第２係合突起１２及び肉厚部１４が形成されている。第２係合突起１２は、揺動部１０の中央に形成され、その第２係合突起１２を挟む位置に一対の肉厚部１４が形成されている。後述のように飲料缶に係合させるときは、第１係合突起１１が内側、第２係合突起１２が外側となるようにヒンジ１５で折り曲げられる。
【００１３】
第１側壁部５１の上端からは、第１ガイド４１が立ち上がっており、第２側壁部５２の上端からは、第２ガイド４２が立ち上がっている。第１ガイド４１の上端は、第２ガイド４２の上端より高さが高くなっている。
揺動部１０の第２係合突起１２側の面には第１ストッパ４３が形成され、第２側壁部５２の外側には第２ストッパ４４が形成されている。
【００１４】
＜１−２．蓋部６＞
蓋部６は、平板部６３と、平板部６３の外周から垂直に延びる側壁部６１とを備えている。側壁部６１の下端付近の内面には、台座部５の第２係合突起１２と係合する第３係合突起６２が形成されている。また、蓋部６の側壁部６１の下端には、凹部６４が形成されている。
【００１５】
＜１−３．組立状態＞
図５に示すように、まず飲料缶９０の上面に台座部５を載せる。このときは揺動部１０の揺動は規制されていない。次に台座部５の上から蓋部６を被せる。蓋部６の側壁部６１内に台座部５の一対の第１ガイド４１を収容すると長手方向がほぼ位置決めされ、蓋部６の側壁部６１内に台座部５の一対の第２ガイド４２を収容すると短手方向がほぼ位置決めされる。
【００１６】
第１ガイド４１及び第２ガイド４２の案内に従って蓋部６を押し込むと、蓋部６の第３係合突起６２が台座部５の第２係合突起１２を乗り越えて互いに係合する。そして、蓋部６の側壁部６１の下端が台座部５の第１ストッパ４３に当接し、蓋部６の凹部６４が台座部５の第２ストッパ４４に当接して、押込み方向も位置決めされる。このとき、蓋部６の側壁部６１の下端はヒンジ１５より外側を通過してヒンジ１５より下方に位置しているので、蓋部６がヒンジ１５を収容した状態となっている。従って、台座部５の揺動部１０は外側への揺動が蓋部６によって規制された状態となっている。飲料缶９０の上面に載っていた台座部５は、その第１係合突起１１によって飲料缶９０の口金に係合する。
【００１７】
また、揺動部１０に適宜肉厚部１４を設けてあるので、外側への揺動を確実に規制することができる。
【００１８】
また、この容器は、台座部５に蓋部６を嵌めた後で飲料缶９０に嵌めることによっても、飲料缶９０に容易に取付けることができる。これは、第１係合突起１１のうち揺動部１０の自由端側の端面がテーパ面となっており、台座部５に蓋部６を嵌めた状態でもこれを飲料缶９０に押し付ければ第１係合突起１１が飲料缶９０の口金の外縁を乗り越えられる程度の弾性変形が容易に得られるからである。容器の弾性変形は、薄肉部で形成されたヒンジ１５の変形や、蓋部６の変形などによって得ることができる。
【００１９】
＜２．製造方法＞
この容器の製造は、台座部５も蓋部６もこれに対応する形状の金型を用いた通常の射出成型によることができる。ここで特に台座部５は、図１に示したように揺動部１０を平板部５４と略平行にした状態、すなわち第１係合突起１１及び第２係合突起１２の突出方向を平板部５４と略垂直にした状態で成型することができる。これにより、金型から台座部５を取り出す際に、第１係合突起１１や第２係合突起１２が障害にならないので、第１係合突起１１や第２係合突起１２を十分な大きさにすることができる。
【００２０】
＜３．本実施形態の効果＞
この容器は、飲料の販促品乃至景品を収容して飲料缶の口金に係合させることで、飲料の販促品乃至景品を飲料とともに提供することができる。
【００２１】
この容器においては、飲料缶９０に係合する第１係合突起１１は、台座部５の少なくとも両端に薄肉のヒンジ１５を介して繋がる一体成型された揺動部１０に形成されるので、揺動部１０を台座部５と平行な形状に成型すれば、十分な大きさの係合部を容易に成型することができる。
【００２２】
そして、揺動部１０を飲料缶９０側に傾ければ第１係合突起１１を容易に飲料缶９０に係合させることができる。更に、揺動部１０が飲料缶９０側に傾いた状態で蓋部６が飲料缶９０の反対側から台座部５に嵌まってヒンジ１５を収容する構成になっているので、蓋部６によって揺動部１０を外側から規制し、容易且つ確実に台座部５を缶に取付けることができる。
【００２３】
また、飲料缶９０側に傾いた揺動部１０の外側に、蓋部６と係合する第２係合突起１２が形成されているので、蓋部６と係合する第２係合突起１２も十分な大きさにすることができる。
【００２４】
従って、この容器は飲料缶９０にしっかり係合することができ、飲料の自動販売機内等で意図せずに容器が外れる可能性は低い。一方、蓋部６の構造上、弾性変形は容易であるので、意図的に係合を外そうと思えば容易に外すことができる。
【００２５】
更に、第１係合突起の大きさの自由度が高まる。このため、係合すべき飲料缶の口金の大きさがメーカーごとに微妙に異なる場合に、台座部５の外形寸法から設計し直さなくても、第１係合突起１１の大きさを任意に設計できる。従って、缶にぴったり嵌まる容器を容易に設計することができる。
【００２６】
＜４．変形例＞
以上好ましい実施形態を説明したが、本発明は以上説明した形状のものに限定されるものではない。例えば図示のものでは台座部５及び蓋部６の平面形状が樽状になっているが、これに限らず円形などでもよい。また揺動部１０は台座部５の両端２箇所に設けることとしたが、台座部５の外周上の３箇所以上に設けてもよい。
【００２７】
また、上記実施形態では飲料缶９０に係合する容器として説明したが、飲料缶に限らず他の種類の缶でもよい。
【図面の簡単な説明】
【００２８】
【図１】台座部５の揺動部１０を開いた状態の平面図（Ａ）、右側面図（Ｂ）、正面図（Ｃ）、Ｉ−Ｉ線断面図（Ｄ）、底面図（Ｅ）である。
【図２】同じ台座部５の揺動部１０を飲料缶９０側に傾けた状態の平面図（Ａ）、右側面図（Ｂ）、正面図（Ｃ）、II−II線断面図（Ｄ）、底面図（Ｅ）である。
【図３】蓋部６の平面図（Ａ）、右側面図（Ｂ）、正面図（Ｃ）、III−III線断面図（Ｄ）、底面図（Ｅ）である。
【図４】図４は台座部５と蓋部６の組合せ状態を示す斜視図（Ａ）及び断面図（Ｂ）である。
【図５】飲料缶９０への取付け状態を説明する図である。
【符号の説明】
【００２９】
１１  第１係合突起、１２  第２係合突起、１４  肉厚部、１５  ヒンジ、４１  第１ガイド、４２  第２ガイド、４３  第１ストッパ、４４  第２ストッパ、５  台座部、５１  第１側壁部、５２  第２側壁部、５４  平板部、６  蓋部、６１  側壁部、６３  平板部、６４  凹部、９０  飲料缶（缶）
【図１】
2007076695.tif 000003
【図２】
2007076695.tif 000004
【図３】
2007076695.tif 000005
【図４】
2007076695.tif 000006
【図５】
2007076695.tif 000007